(57)【要約】【課題】ＡＤＦをコンパクトに構成することが可能な原稿読取装置を提供する。【解決手段】イメージスキャナ装置は、ＡＤＦと、縮小光学系の第２スキャナユニット６０と、スキャナフレーム１２と、スキャナ基板７０と、を備える。第２スキャナユニット６０は、ＡＤＦの内部に配置される。スキャナフレーム１２は、第２スキャナユニット６０の内外を仕切る。スキャナ基板７０は、スキャナフレーム１２内に配置され、第２スキャナユニット６０が読み取った画像信号を変換する。【選択図】図４
2010045738.tif 000002
【特許請求の範囲】
【請求項１】
自動原稿搬送装置と、
前記自動原稿搬送装置の内部に配置された縮小光学系の読取部と、
前記読取部の内外を仕切るスキャナフレームと、
前記スキャナフレーム内に配置され、前記読取部が読み取った画像信号を変換する変換部と、
を備えたことを特徴とする原稿読取装置。
【請求項２】
請求項１に記載の原稿読取装置であって、
前記変換部は基板からなり、
当該変換部は、前記読取部における光路を遮断しないように配置されるとともに、
前記変換部の少なくとも一部が、前記光路に対して当該変換部の厚み方向で重なっていることを特徴とする原稿読取装置。
【請求項３】
請求項１又は２に記載の原稿読取装置であって、
前記読取部における光路の幅方向に見たときに、前記変換部の少なくとも一部が、前記読取部において折返し状に形成される前記光路の隙間に配置されていることを特徴とする原稿読取装置。
【請求項４】
請求項２又は３に記載の原稿読取装置であって、
ＣＣＤセンサを搭載したＣＣＤ基板と、
前記ＣＣＤセンサに対して光を集光する集光レンズと、
前記スキャナフレーム内に配置され、前記ＣＣＤ基板と前記集光レンズを当該スキャナフレームに固定するための固定ブラケットと、
を備え、
前記変換部は前記固定ブラケットに対して固定されていることを特徴とする原稿読取装置。
【請求項５】
請求項４に記載の原稿読取装置であって、
前記固定ブラケットには、前記集光レンズに入る外乱光を制限するための窓部が形成されていることを特徴とする原稿読取装置。
【請求項６】
請求項１から５までの何れか一項に記載の原稿読取装置であって、
前記変換部は、前記スキャナフレーム内に多層状に配置された複数の基板から構成されていることを特徴とする原稿読取装置。
【発明の詳細な説明】
【技術分野】
【０００１】
本発明は、原稿読取装置に関する。詳細には、自動原稿搬送装置内部にスキャナユニットを備えた原稿読取装置に関する。
【背景技術】
【０００２】
従来から、自動原稿搬送装置（オートドキュメントフィーダ、ＡＤＦ）を備えた原稿読取装置が知られている。特許文献１は、ＡＤＦによって搬送される原稿の両面を読み取り可能な原稿読取装置を開示する。この特許文献１の構成の原稿読取装置は、ＡＤＦの上下に備えられた２つの原稿読取ユニットによって原稿の裏表を読み取る構成となっている。
【特許文献１】特開平９−２８４４８０号公報
【発明の開示】
【発明が解決しようとする課題】
【０００３】
ところで、ＡＤＦの内部に湾曲状の原稿搬送経路を形成し、当該原稿搬送経路の内部に読取ユニットを配置する構成の原稿読取装置も知られている。このような構成の原稿読取装置においては、ＡＤＦ内部に読取ユニットを配置する結果、ＡＤＦが大型化してしまうという問題があった。
【０００４】
また、上記特許文献１のような構成の原稿読取装置においては、ノイズ抑制の観点から、ＣＣＤセンサと、当該ＣＣＤセンサからの信号をデジタルデータに変換するための変換部と、の距離を可能な限り短くすることが好ましい。そこで、ＡＤＦの内部に読取ユニットを備えた構成の原稿読取装置において、ＡＤＦの筐体に変換部を配置することがある。しかし、このようにＡＤＦの筐体に変換部を配置する構成とすると、変換部の配置スペースを確保するためにＡＤＦが更に大型化してしまっていた。
【０００５】
本願発明は以上の事情に鑑みてされたものであり、その主要な目的は、ＡＤＦをコンパクトに構成することが可能な原稿読取装置を提供することにある。
【課題を解決するための手段及び効果】
【０００６】
本発明の解決しようとする課題は以上の如くであり、次にこの課題を解決するための手段とその効果を説明する。
【０００７】
本発明の観点によれば、以下の構成の原稿読取装置が提供される。即ち、この原稿読取装置は、自動原稿搬送装置と、縮小光学系の読取部と、スキャナフレームと、変換部と、を備える。前記読取部は、前記自動原稿搬送装置の内部に配置される。前記スキャナフレームは、前記読取部の内外を仕切る。前記変換部は、前記スキャナフレーム内に配置され、前記読取部が読み取った画像信号を変換する。
【０００８】
即ち、スキャナフレーム内部に変換部を配置したことで、自動原稿搬送装置とスキャナフレームとの間に変換部を配置するためのスペースを必要としないので、自動原稿搬送装置を小型化し、原稿読取装置自体の省スペース化を実現することができる。また、変換部がスキャナフレーム内の読取部と近い位置に配置されるので、ノイズの影響を受けにくく、高い読取品質を実現した原稿読取装置を提供することができる。
【０００９】
前記の原稿読取装置においては、以下のように構成されることが好ましい。即ち、前記変換部は基板からなり、前記読取部における光路を遮断しないように配置される。前記変換部の少なくとも一部が、前記光路に対して当該変換部の厚み方向で重なっている。
【００１０】
これにより、光路を邪魔することなく、変換部をスキャナフレーム内で効率的に配置することができる。従って、原稿読取装置を更に小型化することができる。
【００１１】
前記の原稿読取装置においては、前記読取部における光路の幅方向に見たときに、前記変換部の少なくとも一部が、前記読取部において折返し状に形成される前記光路の隙間に配置されていることが好ましい。
【００１２】
これにより、光路の隙間のスペースを有効利用して、変換部をスキャナフレーム内で更に効率的に配置することができる。
【００１３】
前記の原稿読取装置においては、以下のように構成されていることが好ましい。即ち、当該原稿読取装置は、ＣＣＤセンサを搭載したＣＣＤ基板と、前記ＣＣＤセンサに対して光を集光する集光レンズと、前記スキャナフレーム内に配置され前記ＣＣＤ基板と前記集光レンズを当該スキャナフレームに固定するための固定ブラケットと、を備える。そして、前記変換部は前記固定ブラケットに対して固定されている。
【００１４】
これにより、ＣＣＤ基板及び集光レンズに対して変換部を正確に配置することができる。従って、当該変換部が光路に干渉してしまうことを防ぐことができる。
【００１５】
前記の原稿読取装置においては、前記固定ブラケットには、前記集光レンズに入る外乱光を制限するための窓部が形成されていることが好ましい。
【００１６】
これにより、簡単な構成で、外乱光の影響を防止して画像の読取品質を向上させることができる。
【００１７】
前記の原稿読取装置においては、前記変換部は、前記スキャナフレーム内に多層状に配置された複数の基板から構成されていることが好ましい。
【００１８】
これにより、より効率よく変換部を配置することができるので、原稿読取装置を更にコンパクトに構成することができる。
【発明を実施するための最良の形態】
【００１９】
以下、本発明の好適な実施形態について図面を参照しながら説明する。図１は本発明の一実施形態に係る原稿読取装置としてのイメージスキャナ装置１０を含むコピーファクシミリ複合機（複合機）２０の外観斜視図である。図２はイメージスキャナ装置１０の正面断面図である。
【００２０】
図１に示すように、コピーファクシミリ複合機２０は、ブックスキャナ及びオートドキュメントフィードスキャナとして機能するイメージスキャナ装置１０を備える。また、複合機２０は、コピー部数、ファクシミリ送信先及び原稿読取等を指示するための操作パネル７７と、記録媒体としての用紙に画像を形成する画像形成部等を内蔵した本体７８と、前記用紙を順次供給する給紙カセット７９と、を備えている。前記本体７８は、通信回線を介して画像データを伝送するための図略の送受信部を備える。
【００２１】
前記複合機２０が備えるイメージスキャナ装置１０は、図２に示すように、プラテンガラス２２と原稿台カバー２１とを備えている。この原稿台カバー２１には自動原稿搬送装置（オートドキュメントフィーダ、ＡＤＦ）２５が備えられている。また、イメージスキャナ装置１０は、原稿の画像を読み取るための第１スキャナユニット５０及び第２スキャナユニット（読取部）６０を備えている。これら第１スキャナユニット５０及び第２スキャナユニット６０は、何れも縮小光学系のスキャナユニットとして構成されている。
【００２２】
このイメージスキャナ装置１０をオートドキュメントフィードスキャナとして使用する場合は、前記ＡＤＦ２５によって原稿を１枚ずつ搬送する。そして、原稿の表側の面（第１面）の画像は第１スキャナユニット５０によって読み取られ、裏側の面（第２面）の画像は第２スキャナユニット６０によって読み取られる。
【００２３】
一方、イメージスキャナ装置１０をブックスキャナとして使用する場合は、読み取るべきブック原稿をユーザがプラテンガラス２２上に載置して、その上から原稿台カバー２１によって押圧し、ブック原稿が動かないように固定する。この状態で、フラットベッド方式により第１スキャナユニット５０によって原稿の画像を読み取ることができるようになっている。
【００２４】
図２に示すように、前記原稿台カバー２１が備えるＡＤＦ２５は、原稿台カバー２１の上部に設けられた原稿トレイ２３と、この原稿トレイ２３の下方に設けられた排出トレイ２４と、を備える。
【００２５】
図２に示すように、前記原稿台カバー２１の内部には、原稿トレイ２３と排出トレイ２４とを繋ぐ湾曲状の原稿搬送経路３０が構成されている。この構成で、原稿トレイ２３に重ねてセットされた原稿は、１枚ずつ分離されて湾曲状の前記原稿搬送経路３０に沿って搬送され、排出トレイ２４へ排出される。原稿の読取の開始等の指示は、図１に示す操作パネル７７によって行うことができる。
【００２６】
次に、原稿搬送経路３０に沿って、ＡＤＦ２５の各部の構成を詳細に説明する。
【００２７】
図２に示すように、原稿トレイ２３から原稿搬送経路３０に原稿が供給される箇所にはピックアップローラ３１が配置されている。このピックアップローラ３１の下流側には分離ローラ３２が備えられ、この分離ローラ３２に対向して対向ローラ３７が配置されている。ピックアップローラ３１は原稿トレイ２３上の最上層の原稿を繰り込み、下流の分離ローラ３２へ向かって搬送する。分離ローラ３２は、原稿を対向ローラ３７との間でニップしながら駆動することで、原稿を１枚ずつ分離し、更に下流側へ搬送する。
【００２８】
分離ローラ３２の下流側には、レジストローラ３９と、このレジストローラ３９と対になる対向ローラと、が配置されている。レジストローラ３９は前記対向ローラとともに、分離ローラ３２によって搬送されてくる原稿の先頭側を一時的に止めて弛ませ、所定時間後に弛みを除去しつつ下流側に搬送する。これにより、原稿の斜行が矯正される。
【００２９】
レジストローラ３９の下流側には、複数の搬送ローラ３３，３４，３５が設けられる。また、この搬送ローラ３３，３４，３５のそれぞれに対向するようにローラが配置されている。前記レジストローラ３９の駆動によって下流側へ搬送された原稿は、搬送ローラ３３，３４，３５とそれらに対向するローラとによりニップされて、更に下流側へ搬送される。
【００３０】
２つの搬送ローラ３４，３５の間には第１原稿読取位置８０が設定されており、この第１原稿読取位置８０を通過する原稿は、以下に説明する第１スキャナユニット５０によって走査され、読み取られる。なお、この第１原稿読取位置８０にはプラテンローラ２９が配置されている。
【００３１】
第１スキャナユニット５０について説明する。この第１スキャナユニット５０は本体７８側に設置されるとともに、ＡＤＦ２５及びプラテンガラス２２の下方に配置されている。また、この第１スキャナユニット５０は、光源５１と、反射ミラー５２，５３，５４と、集光レンズ５５と、電荷結合素子（ＣＣＤ）５６と、を備えている。
【００３２】
光源５１は前記ＡＤＦ２５の前記第１原稿読取位置８０（又はプラテンガラス２２）に対して光を照射し、反射ミラー５２，５３，５４は原稿からの反射光を反射させる。そしてこの反射光を集光レンズ５５で収束させて、この収束光がＣＣＤ５６の部分で結像するように構成されている。
【００３３】
第１スキャナユニット５０の光源５１及び反射ミラー５２等は移動可能に構成されている。前述したようにイメージスキャナ装置１０をブックスキャナとして使用する場合は、第１スキャナユニット５０の光源５１及び反射ミラー５２等をプラテンガラス２２に沿って移動させる。これによって、プラテンガラス２２上に載置された原稿を読み取ることができるようになっている。
【００３４】
イメージスキャナ装置１０をオートドキュメントフィードスキャナとして使用する場合（ＡＤＦ２５を用いて原稿を読み取る場合）について説明する。この場合、光源５１及び反射ミラー５２等は、図２に示すように、前記第１原稿読取位置８０に対向する位置まで移動させて静止させておく。この状態でＡＤＦ２５を駆動することにより、原稿搬送経路３０を搬送されて第１原稿読取位置８０を通過する原稿の表側の面を、第１スキャナユニット５０が走査して読み取ることができる。
【００３５】
第１スキャナユニット５０において、原稿からの反射光は前述のとおりＣＣＤ５６へ導かれて結像し、ＣＣＤ５６は原稿の画像情報に応じた電気信号を出力する。この信号は適宜変換処理され、複合機２０が備える画像形成部に送信される。そして、この送信された画像情報が画像形成部によって記録媒体としての用紙に転写されることで、複合機２０のコピー機能等が実現される。
【００３６】
原稿搬送経路３０において、前記第１原稿読取位置８０の下流側（搬送ローラ３５の下流側）には第２原稿読取位置９０が設定されている。この第２原稿読取位置９０を通過する原稿の裏面は、次に説明する第２スキャナユニット６０によって走査されて読み取られる。
【００３７】
第２スキャナユニット６０について説明する。この第２スキャナユニット６０は、内部の光学系を構成する部品等を保持する樹脂製のスキャナフレーム１２を備えている。このスキャナフレーム１２は、第２スキャナユニット６０の構成部品の外側を覆うように構成されている。
【００３８】
また、このスキャナフレーム１２の下側であって排出トレイ２４側の一部は開放可能に構成されている。この開放部は、通常時においては蓋部１３で覆われており、これによって第２スキャナユニット６０が密閉状態に保たれている。
【００３９】
スキャナフレーム１２の底部には、原稿の裏面を読み取るための読取ガラス４２が備えられる。この読取ガラス４２は、前記第２原稿読取位置９０に対応する位置に配置される。また、ＡＤＦ２５本体側に備えられた排出ローラ３６と対向する位置において、前記スキャナフレーム１２には対向排出ローラ４０が備えられている。
【００４０】
スキャナフレーム１２の内部には、第２スキャナユニット６０の構成部品が配置される。この第２スキャナユニット６０は前記第１スキャナユニット５０と同様に、光源６１と、反射ミラー６２，６３，６４，６５と、集光レンズ６７と、ＣＣＤ５７と、を備えている。
【００４１】
前記光源６１は前記読取ガラス４２を介して第２原稿読取位置９０に光を照射し、原稿からの反射光は反射ミラー６２，６３，６４，６５によって反射し、更に集光レンズ６７で収束してＣＣＤ５７の部分に結像する。ＣＣＤ５７は、第１スキャナユニット５０におけるＣＣＤ５６と同様に、原稿の画像情報に応じた電気信号を出力する。この信号は後述のスキャナ基板７０によって適宜変換処理され、複合機２０が備える画像形成部に送信される。
【００４２】
また、スキャナフレーム１２の第２原稿読取位置９０（前記読取ガラス４２）に対向するように、プラテンローラ３８がＡＤＦ２５本体部分に配置されている。この構成で、前記搬送ローラ３５により搬送された原稿がプラテンローラ３８の部分に差し掛かると、当該原稿はプラテンローラ３８により搬送されながらその裏側の面が走査されて読み取られる。
【００４３】
以上のようにして２つの原稿読取位置で表裏両面の内容を読み取られた原稿は、排出ローラ３６によって搬送され、排出トレイ２４へ排出される。このようにして、原稿搬送経路３０に原稿を１回通過させるだけで両面読取が可能な構成の、いわゆるワンパス方式のＡＤＦ２５が構成されている。
【００４４】
次に、第２スキャナユニット６０におけるＣＣＤ５７と集光レンズ６７の固定方法、及びスキャナ基板７０の構成について、図３を参照して説明する。図３は、蓋部１３を取り外した状態の第２スキャナユニット６０の斜視図である。なお、図３においては、蓋部１３を取り外して下側が開放された第２スキャナユニット６０の内部をより良く示すために、第２スキャナユニット６０は上下を逆にした状態で描かれている。
【００４５】
図３に示すように、スキャナフレーム１２の内部には、集光レンズ６７と、ＣＣＤ５７と、ＣＣＤ５７を搭載したＣＣＤ基板５８と、スキャナ基板（変換部）７０と、反射ミラー６４と、が配置されている。なお、図３においてＣＣＤ５７はＣＣＤ基板５８の紙面向かって奥側の面に搭載されているので、破線で示している。また、図２で説明したように、スキャナフレーム１２の内部には光源６１及び反射ミラー６２，６３，６５も配置されているが、図３では図示していない。
【００４６】
樹脂製のスキャナフレーム１２は、これと一体成形された樹脂製の固定ブロック１２１を備える。この固定ブロック１２１上に、板金によりなる第１ブラケット１７がネジ止めにより固定されている。この第１ブラケット１７には、平板状の板バネ１９がネジ止めされている。この板バネ１９は前記集光レンズ６７を固定ブロック１２１に対して押圧するように構成されており、これにより集光レンズ６７が固定されている。
【００４７】
また、前記第１ブラケット１７上に、同じく板金によりなる第２ブラケット１８がネジ止めにより固定されている。そして、この第２ブラケット１８に対して、ＣＣＤ基板５８がネジ止めにより固定されている。第２ブラケットはその一部が適宜折り曲げられて形成されており、この第２ブラケットに対してＣＣＤ基板５８を固定することにより、集光レンズ６７の光軸に対して適切にＣＣＤ５７を固定することができるように構成されている。
【００４８】
スキャナ基板７０は、図２及び図３に示すように２枚の基板（第１スキャナ基板７０１及び第２スキャナ基板７０２）から構成されている。スキャナ基板７０は、スキャナフレーム１２の内部であってＣＣＤ基板５８の近傍に配置されており、当該ＣＣＤ基板５８と図略のリード線等によって電気的に接続されている。そして、スキャナ基板７０は、ＣＣＤ５７が検出した画像の電気信号をＣＣＤ基板５８から受信するように構成されている。
【００４９】
スキャナ基板７０上には、マイクロプロセッサ及びランダムアクセスメモリ等が配置されて図略の電気回路が形成されており、ＣＣＤ５７からの電気信号に対してアナログ／デジタル変換及び各種フィルタリング処理等を実行できるように構成されている。このように、本実施形態ではアナログ／デジタル変換を行うスキャナ基板７０がＣＣＤ基板５８のごく近傍に配置されている。従って、スキャナ基板をスキャナユニットの外部に配置する従来の構成に比べて、ＣＣＤ５７が出力した電気信号をデジタルデータに変換するまでの配線経路を極めて短くすることができる。即ち、ノイズの影響を受け易いアナログ信号の伝達経路を短くすることにより、従来に比べてノイズの影響を受けにくくすることができる。
【００５０】
以上の構成で、ＣＣＤ５７が検出した画像の電気信号は、スキャナ基板７０によってデジタルデータに変換され、適宜のフィルタリング処理が施される。そして、当該デジタルデータは図略のケーブルによってスキャナフレーム１２の外部に取り出され、当該ケーブルを通じて複合機２０が備える画像形成部等に送信される。
【００５１】
続いて、主に図４及び図５を参照して、スキャナフレーム１２内におけるスキャナ基板７０の配置について説明する。図４は、第２スキャナユニット６０の内部の様子を上下逆にして示した斜視図である。図５は、図４と同様に第２スキャナユニット６０の内部の様子を上下逆にして、原稿からの反射光が集光レンズ６７に入る様子を概念的に示した斜視図である。なお、図４及び図５は、スキャナ基板７０の取付構造をより良く図示するため、図３の状態から更に一部の構成を取り除くとともに、図３とは異なる方向から見た様子を示している。
【００５２】
まず、従来の構成について簡単に説明する。通常、ＡＤＦの内部にスキャナユニットのスキャナフレームを収納する場合、当該スキャナフレームは可能な限りコンパクトに構成される。このため、スキャナフレームの内部はスペースが限られており、従来はスキャナ基板をスキャナフレーム内に収納することが困難であった。
【００５３】
また、通常は、スキャナフレーム内部の空間の大部分を占めるようにして、読取ガラスからＣＣＤに至るまでの光の経路（光路）が配置されている。この光路に対して基板が干渉してしまうことを防ぐため、スキャナフレーム１２内に基板を配置することができるスペースは更に限られたものとなる。このため、従来のスキャナユニットにおいてスキャナフレーム内に基板を配置できるスペースは、光路に干渉するおそれのない場所であるＣＣＤの背面側（本実施形態におけるＣＣＤ基板５８のような構成）等、限られたスペースしかなかった。そのため、従来の構成ではアナログ／デジタル変換などを実行するためのスキャナ基板をスキャナフレーム内に収納することができなかった。
【００５４】
この点、本実施形態においては、以下で説明するように基板の配置を工夫することで、スキャナフレーム１２内にスキャナ基板７０を収納する構成を実現している。
【００５５】
図５に示すように、原稿からの反射光は集光レンズ６７に近づくにつれて収束し、集光レンズ６７の位置において光路の主走査方向の幅が最小となる。即ち、集光レンズに対して主走査方向に隣接する位置には光路が存在せず、従ってこの位置に部品を配置しても光路に干渉することはない。この点に注目し、本実施形態では集光レンズ６７に対して主走査方向に隣接する位置にスキャナ基板７０を配置している。これにより、スキャナフレーム１２内のスペースを有効に活用してスキャナ基板７０を配置することができる。
【００５６】
また、原稿からの反射光は、図２及び図５に示したように、反射ミラー６２〜６５によって折り曲げられて集光レンズ６７まで導かれる。このとき、図２に示すように、折り曲げられた光路同士の間には隙間が構成されている。この点に着目し、本実施形態では光路同士がなす隙間にスキャナ基板７０の一部を入れることで、光路に干渉することなくスキャナ基板７０を更に効率よく配置できるようにしている。
【００５７】
具体的には、図２に示すように、第１スキャナ基板７０１の一端側が、光路の幅方向（図２の紙面奥行方向）に見たときに、折返し状に形成される光路の隙間に入りこむように構成されている。また、図５に示すように、ミラー６４が第１スキャナ基板７０１に対して図５の図面下側に配置されていることにより、第１スキャナ基板７０１が基板の厚み方向で光路と一部重なるように配置されている。このように、光路と干渉しない範囲で、スキャナ基板７０を光路同士が形成している隙間に入れるように配置することにより、スキャナ基板７０をスキャナフレーム１２内で効率良く配置することができる。
【００５８】
更に、図４に示すように、第１ブラケット１７には、第１スキャナ基板７０１の配置面に対して平行な突出部１７２が形成されている。そして、第１スキャナ基板７０１の光路の隙間に入っている側の端部が、この突出部１７２に対してネジ４４によってネジ止めされている。即ち、基板は熱などによって反り変形を生じることがあるため、光路の隙間に基板を配置すれば、前記変形によって光路に干渉してしまうおそれがある。この点、本実施形態では前記のように第１スキャナ基板７０１を第１ブラケット１７に対してネジ４４により固定しているため、当該ネジ４４によるネジ止め箇所で第１スキャナ基板７０１の位置を光路に対して確実に拘束することができる。従って、仮に基板が変形した場合であっても、光路に対して干渉してしまうことを防止することができる。
【００５９】
また、前記突出部１７２とのネジ止め部において、第１スキャナ基板７０１上の電気回路には図略のグランド端子が形成されており、当該グランド端子はネジ４４との電気的接続を介して突出部１７２と電気的に接続されている。このように、突出部１７２は、第１スキャナ基板７０１の固定と回路のグランドの役割を兼ねる構成となっている。
【００６０】
図３から図５に示すように、第１スキャナ基板７０１と第２スキャナ基板７０２は、基板の厚み方向に上下に並べて配置される。具体的には、２つの基板の間にはスペーサ７３が配置されるとともに、ネジ４３が第２スキャナ基板７０２、スペーサ７３、第１スキャナ基板７０１を介してスキャナフレーム１２にネジ止めされている。また、第１スキャナ基板７０１及び第２スキャナ基板７０２は、図略のリード線によって電気的に接続されている。このように本実施形態では、スキャナ基板７０を２つの基板で構成し、第１スキャナ基板７０１及び第２スキャナ基板７０２を適宜の間隔をあけて上下に並べてスキャナフレーム１２内に配置している。これにより、１枚の基板のみの構成と比べて、配置可能な基板の面積を増大させ、面積あたりの基板配置効率を向上させることができる。
【００６１】
また、第１ブラケット１７は、その一部が集光レンズ６７の光軸に直交するように折り曲げられている。この折曲げ部分には、前記集光レンズ６７に入射する光を通過させる矩形状の貫通孔（窓部）１７０が形成されている。また、前記貫通孔１７０の周囲の部分は、光を遮るための遮光部１７１とされている。この遮光部１７１は、集光レンズ６７への外乱光の入射を規制するためのものであり、いわば機械的なシェーディング補正部として機能する。
【００６２】
また、第１スキャナ基板７０１の図面下側にはシールド板金７４が配置されている。これによりノイズを遮断し、更にノイズの影響を小さくすることができる。
【００６３】
以上で説明したように、本実施形態のイメージスキャナ装置１０は、ＡＤＦ２５と、縮小光学系の第２スキャナユニット６０と、スキャナフレーム１２と、スキャナ基板７０と、を備える。第２スキャナユニット６０は、ＡＤＦ２５の内部に配置される。スキャナフレーム１２は、第２スキャナユニット６０の内外を仕切る。スキャナ基板７０は、スキャナフレーム１２内に配置され、第２スキャナユニット６０が読み取った画像信号を変換する。
【００６４】
即ち、スキャナフレーム１２内部にスキャナ基板７０を配置したことで、ＡＤＦ２５とスキャナフレーム１２との間にスキャナ基板７０を配置するためのスペースを必要としないので、ＡＤＦ２５を小型化し、イメージスキャナ装置１０自体の省スペース化を実現することができる。また、スキャナ基板７０がスキャナフレーム１２内のＣＣＤ５７と近い位置に配置されるので、ノイズの影響を受けにくく、高い読取品質を実現することができる。
【００６５】
また、本実施形態のイメージスキャナ装置１０においては、スキャナ基板７０は基板からなり、第２スキャナユニット６０における光路を遮断しないように配置される。また、第１スキャナ基板の一部が、前記光路に対して当該第１スキャナ基板７０１の厚み方向で重なっている。
【００６６】
これにより、光路を邪魔することなく、スキャナ基板７０をスキャナフレーム１２内で効率的に配置することができる。従って、イメージスキャナ装置１０を更に小型化することができる。
【００６７】
また、本実施形態のイメージスキャナ装置１０においては、第２スキャナユニット６０における光路の幅方向に見たときに、第１スキャナ基板７０１の一部が、第２スキャナユニット６０において折返し状に形成される前記光路の隙間に配置されている。
【００６８】
これにより、光路の隙間のスペースを有効利用して、スキャナ基板７０をスキャナフレーム１２内で更に効率的に配置することができる。
【００６９】
また、本実施形態のイメージスキャナ装置１０は、以下のように構成されている。イメージスキャナ装置１０は、ＣＣＤ５７を搭載したＣＣＤ基板５８と、ＣＣＤ５７に対して光を集光する集光レンズ６７と、第１ブラケット１７及び第２ブラケット１８と、を備える。第１ブラケット１７及び第２ブラケット１８は、スキャナフレーム１２内に配置されＣＣＤ基板５８及び集光レンズ６７をスキャナフレーム１２に固定する。そして、第１スキャナ基板７０１は第１ブラケット１７に対して固定されている。
【００７０】
これにより、ＣＣＤ基板５８及び集光レンズ６７に対してスキャナ基板７０を正確に配置することができる。従って、当該変換部が光路に干渉してしまうことを防ぐことができる。
【００７１】
また、本実施形態のイメージスキャナ装置１０においては、第１ブラケット１７には、集光レンズ６７に入る外乱光を制限するための貫通孔１７０が形成されている。
【００７２】
これにより、簡単な構成で、外乱光の影響を防止して画像の読取品質を向上させることができる。
【００７３】
また、本実施形態のイメージスキャナ装置１０においては、スキャナ基板７０は、スキャナフレーム１２内において第１スキャナ基板７０１及び第２スキャナ基板７０２が多層状に配置されるように構成されている。
【００７４】
これにより、より効率よくスキャナ基板７０を配置することができるので、イメージスキャナ装置１０を更にコンパクトに構成することができる。
【００７５】
以上に本発明の好適な実施の形態について説明したが、上記の構成は例えば以下のように変更することができる。
【００７６】
上記実施形態ではスキャナ基板７０においてアナログ／デジタル変換及びフィルタリング処理を行っている。しかし、スキャナフレーム内でアナログ／デジタル変換を行うことによりノイズを低減するという観点からは、フィルタリング処理は必ずしもスキャナフレーム内の基板で行う必要はなく、スキャナフレームの外に設けられた別の基板で行っても良い。
【００７７】
上記実施形態ではスキャナ基板７０は２段構成としたが、スキャナフレーム内のスペース等の事情に応じて、１枚の基板で構成しても良く、或いは３段以上の構成としても良いことは勿論である。
【００７８】
上記実施形態では集光レンズ６７等を固定するためのブラケットに対して第１スキャナ基板７０１を固定する構成としたが、これに限らず、例えば専用のブラケットに固定しても良い。
【００７９】
前記コピーファクシミリ複合機２０に代えて、例えば、コピー機、ファクシミリ装置等にも、上記実施形態のイメージスキャナ装置１０を適用することができる。
【００８０】
上記実施形態ではイメージスキャナ装置１０は複合機２０の一部として備えられているが、この構成に代えて、単体のイメージスキャナ装置として構成することができる。
【図面の簡単な説明】
【００８１】
【図１】本発明の一実施形態に係るコピーファクシミリ複合機の様子を示した外観斜視図。
【図２】本実施形態のイメージスキャナ装置の構成を示した正面断面図。
【図３】第２スキャナユニット内部の様子を示した斜視図。
【図４】第２スキャナユニット内部の様子を別の角度から示した斜視図。
【図５】反射光が集光レンズに入る様子を概念的に示した斜視図。
【符号の説明】
【００８２】
１０  イメージスキャナ装置（原稿読取装置）
１２  スキャナフレーム
２５  自動原稿搬送装置（ＡＤＦ）
１７  第１ブラケット（固定ブラケット）
１８  第２ブラケット（固定ブラケット）
５６  ＣＣＤ（ＣＣＤセンサ）
５７  ＣＣＤ基板
６０  第２スキャナユニット（読取部）
６７  集光レンズ
７０  スキャナ基板（変換部）
７０１  第１スキャナ基板
７０２  第２スキャナ基板
１７０  貫通孔（窓部）
【図１】
2010045738.tif 000003
【図２】
2010045738.tif 000004
【図３】
2010045738.tif 000005
【図４】
2010045738.tif 000006
【図５】
2010045738.tif 000007